【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
複数の画像収納室を有する仮想空間に鑑賞者を案内する画像鑑賞システムであって、
仮想空間内に特定画像を合成して表示するためのデータを生成する仮想空間合成部と、
上記仮想空間合成部によって生成された上記データを表す画像を表示する仮想空間表示部と、
上記仮想空間内において、ユーザーによる移動の指示操作を判定する操作判定部と、
上記仮想空間内の所定位置を表わす基準場所の画像を生成し、上記操作判定部によって判定された上記移動の指示操作に従って、上記仮想空間の場所を表わす画像を切換え、入力されたサンプル画像と同一もしくは類似する画像が展示されている上記仮想空間内の展示場所に案内するためのデータを生成する案内部と、
を具備し、上記案内部によって生成された上記データを表す画像を上記仮想空間表示部に表示させることを特徴とする画像鑑賞システム。
【請求項２】
上記特定画像は、上記画像収納室を表わす仮想空間に関連付けられていることを特徴とする請求項１に記載の画像鑑賞システム。
【請求項３】
上記複数の画像収納室は、それぞれテーマと関連付けられていることを特徴とする請求項１に記載の画像鑑賞システム。
【請求項４】
上記案内部は、上記仮想空間に画像を展示し、上記サンプル画像と同一または類似する画像が展示されたルートを通るように上記仮想空間内を案内することを特徴とする請求項３に記載の画像鑑賞システム。
【請求項５】
上記案内部は、撮影者の嗜好に従った画像が展示されたルートを通るように、上記仮想空間内を案内することを特徴とする請求項３に記載の画像鑑賞システム。
【請求項６】
複数の画像収納室を有する仮想空間に鑑賞者を案内する画像鑑賞方法であって、
仮想空間内に特定画像を合成して表示するためのデータを生成するステップと、
上記仮想空間内の所定位置を表わす基準場所の画像を生成し、ユーザーの移動の指示に従って上記仮想空間の場所を表わす画像を切換え、入力されたサンプル画像と同一もしくは類似する画像が展示されている上記仮想空間内の展示場所に案内するためのデータを生成するステップと、
を備えたことを特徴とする画像鑑賞方法。
【請求項７】
複数の画像収納室を有する仮想空間に鑑賞者を案内する画像鑑賞用サーバーであって、
仮想空間内に特定画像を合成して表示するためのデータを生成する仮想空間合成部と、
外部の機器から入力し、検索対象のサンプル画像を記憶するサンプル画像記憶部と、
上記仮想空間内の所定位置を表わす基準場所の画像を生成し、ユーザーの移動の指示に従って上記仮想空間の場所を表わす画像を切換え、上記サンプル画像に同一もしくは類似する画像が展示されている仮想空間に案内するためのデータを生成し、外部に送信する案内部と、
を備えたことを特徴とする画像鑑賞用サーバー。
【請求項８】
サンプル画像を、仮想空間を有するサーバーに送信する第１の通信部と、
上記サーバーから送信されてきた上記サンプル画像と同一もしくは類似する画像が展示されている上記仮想空間内の展示場所への案内画像を受信する第２の通信部と、
上記第２の通信部を介して受信した上記案内画像を表示する表示部と、
を備えたことを特徴とする端末機器。
【手続補正２】
【補正対象書類名】明細書
【補正対象項目名】発明の名称
【補正方法】変更
【補正の内容】
【発明の名称】画像鑑賞システム、画像鑑賞方法、画像鑑賞用サーバー、および端末機器
【手続補正３】
【補正対象書類名】明細書
【補正対象項目名】０００１
【補正方法】変更
【補正の内容】
【０００１】
本発明は、画像鑑賞システム、画像鑑賞方法、画像鑑賞用サーバー、および端末機器に関し、詳しくは、仮想空間内に展示されている画像をユーザーフレンドリーに探すことのできる画像鑑賞システム、画像鑑賞方法、画像鑑賞用サーバー、および端末機器に関する。
【手続補正４】
【補正対象書類名】明細書
【補正対象項目名】０００６
【補正方法】変更
【補正の内容】
【０００６】
本発明は、このような事情を鑑みてなされたものであり、多数の画像が展示されうる仮想空間の中で、目的とする画像を楽しみながら容易に見出すことのできる画像鑑賞システム、画像鑑賞方法、画像鑑賞用サーバー、および端末機器を提供することを目的とする。
【手続補正５】
【補正対象書類名】明細書
【補正対象項目名】０００７
【補正方法】変更
【補正の内容】
【０００７】
上記目的を達成するため第１の発明に係わる画像鑑賞システムは、複数の画像収納室を有する仮想空間に鑑賞者を案内する画像鑑賞システムであって、仮想空間内に特定画像を合成して表示するためのデータを生成する仮想空間合成部と、上記仮想空間合成部によって生成された上記データを表す画像を表示する仮想空間表示部と、上記仮想空間内において、ユーザーによる移動の指示操作を判定する操作判定部と、上記仮想空間内の所定位置を表わす基準場所の画像を生成し、上記操作判定部によって判定された上記移動の指示操作に従って、上記仮想空間の場所を表わす画像を切換え、入力されたサンプル画像と同一もしくは類似する画像が展示されている上記仮想空間内の展示場所に案内するためのデータを生成する案内部と、を具備し、上記案内部によって生成された上記データを表す画像を上記仮想空間表示部に表示させる。
【手続補正６】
【補正対象書類名】明細書
【補正対象項目名】０００８
【補正方法】変更
【補正の内容】
【０００８】
第２の発明に係わる画像鑑賞システムは、上記第１の発明において、上記特定画像は、上記画像収納室を表わす仮想空間に関連付けられている。
【手続補正７】
【補正対象書類名】明細書
【補正対象項目名】０００９
【補正方法】変更
【補正の内容】
【０００９】
第３の発明に係わる画像鑑賞システムは、上記第１の発明において、上記複数の画像収納室は、それぞれテーマと関連付けられている。
第４の発明に係わる画像鑑賞システムは、上記第３の発明において、上記案内部は、上記仮想空間に画像を展示し、上記サンプル画像と同一または類似する画像が展示されたルートを通るように上記仮想空間内を案内する。
第５の発明に係わる画像鑑賞システムは、上記第３の発明において、上記案内部は、撮影者の嗜好に従った画像が展示されたルートを通るように、上記仮想空間内を案内する。
【手続補正８】
【補正対象書類名】明細書
【補正対象項目名】００１０
【補正方法】変更
【補正の内容】
【００１０】
上記目的を達成するため第６の発明に係わる画像鑑賞方法は、複数の画像収納室を有する仮想空間に鑑賞者を案内する画像鑑賞方法であって、仮想空間内に特定画像を合成して表示するためのデータを生成するステップと、上記仮想空間内の所定位置を表わす基準場所の画像を生成し、ユーザーの移動の指示に従って上記仮想空間の場所を表わす画像を切換え、入力されたサンプル画像と同一もしくは類似する画像が展示されている上記仮想空間内の展示場所に案内するためのデータを生成するステップと、を備える。
【手続補正９】
【補正対象書類名】明細書
【補正対象項目名】００１１
【補正方法】変更
【補正の内容】
【００１１】
第７の発明に係わる画像鑑賞用サーバーは、複数の画像収納室を有する仮想空間に鑑賞者を案内する画像鑑賞用サーバーであって、仮想空間内に特定画像を合成して表示するためのデータを生成する仮想空間合成部と、外部の機器から入力し、検索対象のサンプル画像を記憶するサンプル画像記憶部と、上記仮想空間内の所定位置を表わす基準場所の画像を生成し、ユーザーの移動の指示に従って上記仮想空間の場所を表わす画像を切換え、上記サンプル画像に同一もしくは類似する画像が展示されている仮想空間に案内するためのデータを生成し、外部に送信する案内部と、を備える。
【手続補正１０】
【補正対象書類名】明細書
【補正対象項目名】００１２
【補正方法】変更
【補正の内容】
【００１２】
第８の発明に係わる端末機器は、サンプル画像を、仮想空間を有するサーバーに送信する第１の通信部と、上記サーバーから送信されてきた上記サンプル画像と同一もしくは類似する画像が展示されている上記仮想空間内の展示場所への案内画像を受信する第２の通信部と、上記第２の通信部を介して受信した上記案内画像を表示する表示部と、を備える。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
本発明によれば、仮想空間に案内するためのデータを生成する案内部を有しており、多数の画像が展示されうる仮想空間の中で、目的とする画像を楽しみながら容易に見出すことのできる画像鑑賞システム、画像鑑賞方法、画像鑑賞用サーバー、および端末機器を提供することができる。
【手続補正１３】
【補正対象書類名】明細書
【補正対象項目名】００６０
【補正方法】変更
【補正の内容】
【００６０】
次に、本発明の第２実施形態について、図８乃至図１１を用いて説明する。第１実施形態では、携帯電話３０等からサーバー２０にアクセスし、仮想空間内に展示されている撮影画像を楽しむようにしていた。第２実施形態では、仮想空間内に展示されている撮影画像５１の中で、気にいった画像等をカメラ１０に取り込み、例えば、スライドショーの形式で表示可能としている。
【手続補正１４】
【補正対象書類名】明細書
【補正対象項目名】００６１
【補正方法】変更
【補正の内容】
【００６１】
図８は、第２実施形態に係わるカメラ１０、サーバー２０、携帯電話３０とからなる画像鑑賞システムの構成を示すブロック図である。カメラ１０は、スライドショー部７を有している。このスライドショー部７は、画像記録部２に記録されている画像を、スライドショーの形式で、表示部５に再生表示する。これ以外の構成は、図１に示す第１実施形態におけるカメラ１０と同様であるので、同一の部材には、同一の符号を付し、詳しい説明を省略する。
【手続補正１５】
【補正対象書類名】明細書
【補正対象項目名】００６２
【補正方法】変更
【補正の内容】
【００６２】
サーバー２０は、スライドショー候補化部２７を有している。スライドショー候補化部２７は、仮想空間内で撮影画像５１を鑑賞していて、図９（ａ）に示すように、「いいですね」といった肯定的な発言があった撮影画像５１をスライドショー候補として記憶する。一方、図９（ｂ）に示すように、案内アバター４３からユーザーアバター４１に勧める発言があっても肯定的な返事がない場合には、スライドショーの候補としては記憶しない。
【手続補正１６】
【補正対象書類名】明細書
【補正対象項目名】００６５
【補正方法】変更
【補正の内容】
【００６５】
この画像記録部２に記録された取得画像をスライドショー部７はスライドショー形式で表示する。スライドショーにあたっては、単にカメラ１０の表示部５に表示するだけではなく、図１０に示すように、外部モニタ６０に表示するようにしてもよい。なお、スライドショー候補化部２７に記憶するスライドショー候補のデータは仮想空間との間での契約等で選定される。
【手続補正１７】
【補正対象書類名】明細書
【補正対象項目名】００６６
【補正方法】変更
【補正の内容】
【００６６】
サーバー２０のサーバー制御のフローは、図７に示したフローチャートをそのまま用いることができるが、スライドショーの候補化はステップＳ７０およびステップＳ８３におけるコミュニケーション等のサブルーチンの中で行うので、このフローについて、図１１に示すフローチャートを用いて説明する。なお、このコミュニケーション等のサブルーチンでは、会話することができ、また進行状況によっては、その他のサービスを楽しむことができる。また、会話の結果、スライドショー候補を得ることができれば、仮想空間内に設けたスイッチ操作や音声応答などにより、画像を携帯電話３０に送信する。
【手続補正１８】
【補正対象書類名】図面
【補正対象項目名】図８
【補正方法】変更
【補正の内容】
【図８】
2009122903.tif 000001